Podtech/llm-jp-corpus-v4-ja_patent huggingface dataset:
【手続補正書】
【提出日】平成21年10月28日(2009.10.28)
【手続補正１】
【補正対象書類名】特許請求の範囲
【補正対象項目名】全文
【補正方法】変更
【補正の内容】
【特許請求の範囲】
【請求項１】
傾斜磁場を発生する傾斜磁場発生手段と、前記傾斜磁場発生手段の内側に配置されてＲＦ磁場を発生するＲＦ照射手段と、を備える水平磁場方式の磁気共鳴イメージング装置において、
前記傾斜磁場発生手段は、前記ＲＦ照射手段の最大外径より小さい内径を有する部分を備え、
前記ＲＦ照射手段は、当該ＲＦ照射手段の最も大きい断面が前記傾斜磁場発生手段の最も小さい断面内に収まるよう可逆的に変形可能であることを特徴とする磁気共鳴イメージング装置。
【請求項２】
請求項１記載の磁気共鳴イメージング装置であって、
前記ＲＦ照射手段は、可撓性を有する折曲部を複数備え、
前記可逆的変形は、当該折曲部を折り曲げて折り畳むことにより行われることを特徴とする磁気共鳴イメージング装置。
【請求項３】
請求項２記載の磁気共鳴イメージング装置であって、
前記ＲＦ照射手段は、当該ＲＦ照射手段の軸方向に伸びる複数のラング導体と、前記ラング導体の両端部の２つの円環状のリング導体と、前記ラング導体およびリング導体を支持するＲＦベースとを備え、
前記折曲部は、前記ラング導体と平行に、前記複数のラング導体の間に設けられ、
前記折曲部上の前記リング導体は、可撓性を有する導体からなり、
前記折曲部上のＲＦベースは、スリットを有することを特徴とする磁気共鳴イメージング装置。
【請求項４】
請求項１記載の磁気共鳴イメージング装置であって、
前記ＲＦ照射手段は、当該ＲＦ照射手段の軸方向に伸びる複数のラング導体と、前記ラング導体の両端部の２つの円環状のリング導体と、前記ラング導体およびリング導体を支持するＲＦベースとを備え、
前記ＲＦベースは可撓性のある部材で構成されていることを特徴とする磁気共鳴イメージング装置。
【請求項５】
請求項３又は４記載の磁気共鳴イメージング装置であって、
前記ＲＦ照射手段は、前記ＲＦベースを支持する支持バーをさらに備え、
前記ＲＦ照射手段は、前記支持バーを用いて前記傾斜磁場発生手段の内側に固定することを特徴とする磁気共鳴イメージング装置。
【請求項６】
傾斜磁場を発生する傾斜磁場発生手段と、ＲＦ磁場を発生するＲＦ照射手段と、を備える水平磁場方式の磁気共鳴イメージング装置において、
前記ＲＦ照射手段は、複数に分割されるとともに、当該分割された部分を接続するコネクタ部を備えること  を特徴とする磁気共鳴イメージング装置。
【請求項７】
傾斜磁場を発生する傾斜磁場発生手段と、前記傾斜磁場発生手段の内側に配置されてＲＦ磁場を発生するＲＦ照射手段と、を備える磁気共鳴イメージング装置において、
前記傾斜磁場発生手段は、第１の内径と該第１の内径より小さい第２の内径とを有し、
前記ＲＦ照射手段は、前記第１の内径に対応した第１の形態と前記第２の内径に対応した第２の形態とに可逆的に変更可能に形成されているとともに、前記傾斜磁場発生手段の第１の内径の近傍では、前記第１の形態を有して配設されることを特徴とする磁気共鳴イメージング装置。
【請求項８】
ＲＦ磁場を発生するＲＦ照射コイルと、前記ＲＦ照射コイルの最大外径より小さい内径部分を有し傾斜磁場を発生する傾斜磁場発生コイルと、を備える水平磁場方式の磁気共鳴イメージング装置における前記ＲＦ照射コイルであって、
前記ＲＦ照射コイルの最も大きい断面が前記傾斜磁場発生手段の最も小さい断面内に収まるよう可逆的に変形可能であることを特徴とするＲＦ照射コイル。
【請求項９】
傾斜磁場を発生する傾斜磁場発生手段と、ＲＦ磁場を発生するＲＦ照射手段と、を備える水平磁場方式の磁気共鳴イメージング装置において、
前記ＲＦ照射手段は、複数の部分照射部に分割されて、各部分照射部は前記傾斜磁場発生手段の内側に配置されていることを特徴とする磁気共鳴イメージング装置。
【請求項１０】
請求項９記載の磁気共鳴イメージング装置であって、
前記ＲＦ照射手段は、４つに分割されて、前記傾斜磁場発生手段の軸方向から見て、右斜め上、右斜め下、左斜め上、左斜め下の位置にそれぞれ配置されていることを特徴とする磁気共鳴イメージング装置。
【手続補正書】
【提出日】平成21年9月25日(2009.9.25)
【手続補正１】
【補正対象書類名】特許請求の範囲
【補正対象項目名】全文
【補正方法】変更
【補正の内容】
【特許請求の範囲】
【請求項１】
遊技盤に取り付けられるセンター役物装置と、遊技の進行に応じて前記センター役物装置を制御する制御基板と、を備える遊技機であって、
前記センター役物装置は、少なくとも、
遊技に関する各種演出を表示する画像表示装置と、
該画像表示装置の外周に配置され、且つ、当該画像表示装置の画面の前面に出現する可動体と、
該可動体を駆動する駆動装置と、
を備え、
前記駆動装置は、少なくとも、
前記可動体を前記画像表示装置の画面の前面に出現させるソレノイドと、
発光するＬＥＤと、
を備え、
前記可動体は、少なくとも、
前記画像表示装置の画面の前面に出現した際に、前記ＬＥＤの発した光を取り入れる取入口
を備え、
前記制御基板は、
前記ソレノイド及び前記ＬＥＤに駆動信号を出力する駆動信号出力制御手段
を備え、
当該制御基板は、前記駆動信号出力制御手段で前記ソレノイド及び前記ＬＥＤに駆動信号を出力することにより、前記ソレノイドで前記可動体を前記画像表示装置の画面の前面に出現させ、且つ、前記ＬＥＤを発光させることを特徴とする遊技機。
【請求項２】
前記ＬＥＤの周囲には、当該ＬＥＤの発した光が前記取入口に導かれる囲い部材が設けられていることを特徴とする請求項１に記載の遊技機。
【手続補正２】
【補正対象書類名】明細書
【補正対象項目名】０００７
【補正方法】変更
【補正の内容】
【０００７】
（解決手段１）
遊技盤に取り付けられるセンター役物装置と、遊技の進行に応じて前記センター役物装置を制御する制御基板と、を備える遊技機であって、前記センター役物装置は、少なくとも、遊技に関する各種演出を表示する画像表示装置と、該画像表示装置の外周に配置され、且つ、当該画像表示装置の画面の前面に出現する可動体と、該可動体を駆動する駆動装置と、を備え、前記駆動装置は、少なくとも、前記可動体を前記画像表示装置の画面の前面に出現させるソレノイドと、発光するＬＥＤと、を備え、前記可動体は、少なくとも、前記画像表示装置の画面の前面に出現した際に、前記ＬＥＤの発した光を取り入れる取入口を備え、前記制御基板は、前記ソレノイド及び前記ＬＥＤに駆動信号を出力する駆動信号出力制御手段を備え、当該制御基板は、前記駆動信号出力制御手段で前記ソレノイド及び前記ＬＥＤに駆動信号を出力することにより、前記ソレノイドで前記可動体を前記画像表示装置の画面の前面に出現させ、且つ、前記ＬＥＤを発光させることを特徴とする遊技機。
【手続補正３】
【補正対象書類名】明細書
【補正対象項目名】０００９
【補正方法】変更
【補正の内容】
【０００９】
センター役物装置は、少なくとも、画像表示装置、可動体、駆動装置を備えている。画像表示装置は遊技に関する各種演出を表示し、可動体は画像表示装置の外周に配置されており、且つ、画像表示装置の画面の前面に出現する。駆動装置は可動体を駆動する。
【手続補正４】
【補正対象書類名】明細書
【補正対象項目名】００１０
【補正方法】変更
【補正の内容】
【００１０】
駆動装置は、少なくとも、ソレノイド、ＬＥＤを備えている。ソレノイドは可動体を画像表示装置の画面の前面に出現させ、ＬＥＤは発光する。
【手続補正５】
【補正対象書類名】明細書
【補正対象項目名】００１１
【補正方法】変更
【補正の内容】
【００１１】
可動体は、少なくとも、取入口を備えており、この取入口は可動体が画像表示装置の画面の前面に出現した際に、ＬＥＤの発した光を取り入れる。
【手続補正６】
【補正対象書類名】明細書
【補正対象項目名】００１２
【補正方法】変更
【補正の内容】
【００１２】
制御基板は、駆動信号出力制御手段を備えており、駆動信号出力制御手段はソレノイド及びＬＥＤに駆動信号を出力する。制御基板は、駆動信号出力制御手段でソレノイド及びＬＥＤに駆動信号を出力することにより、ソレノイドで可動体を画像表示装置の画面の前面に出現させ、且つ、ＬＥＤを発光させる。これにより、可動体にＬＥＤを備えることなく、可動体が発光しているように見せることができる。
【手続補正７】
【補正対象書類名】明細書
【補正対象項目名】００１３
【補正方法】変更
【補正の内容】
【００１３】
このように、可動体が画像表示装置の画面の前面に出現した際に、ＬＥＤが発した光を可動体の取入口で取り入れることで可動体が発光していように見える。ここでＬＥＤを可動体に備える場合と比べると、ＬＥＤを可動体とは別体の駆動装置に備えることで可動体の重量を軽くすることができ、慣性モーメントを低減できる。したがって、可動体を画像表示装置の画面の前面に出現させるソレノイドへの負荷を抑えることできる。
【手続補正８】
【補正対象書類名】明細書
【補正対象項目名】００１４
【補正方法】変更
【補正の内容】
【００１４】
本実施形態では、例えば、図４の遊技盤４が遊技盤に相当し、図４のセンターユニット４０がセンター役物装置に相当し、図１のパチンコ機１が遊技機に相当し、図５の役物制御基板１１５が制御基板に相当し、図５の画像表示装置４２が画像表示装置に相当し、図４のハンマー部材が可動体に相当し、図４９の連結部４００、運動変換アーム５００、駆動アーム６００、ハンマー部材移動用ステッピングモータ４０ｃ及びハンマー部材用ソレノイド９９等が駆動装置に相当し、図５のハンマー部材用ソレノイド９９がソレノイドに相当し、図５のハンマー部材用ＬＥＤ９００ａがＬＥＤに相当し、図４９の貫通管６００ｆが取入口に相当し、「サブ統合基板１１１からランプ中継基板１１９を介して受信した役物演出コマンドに基づいて、原位置を基準にしてハンマー部材移動用ステッピングモータ４０ｃを所定回数回転させることでハンマー部材機構収容ボックス７００を左右の所定位置Ａ，Ｂに移動させている。その後、役物制御基板１１５は、上述したように、ハンマー部材用ソレノイド９９への励磁を開始して打撃部３００ａを画像表示装置４２の画面に衝突させ、ハンマー部材用ＬＥＤ９００ａを発光させる。」が駆動信号出力制御手段に相当する。
【手続補正９】
【補正対象書類名】明細書
【補正対象項目名】００１８
【補正方法】変更
【補正の内容】
【００１８】
本発明の請求項１においては、駆動機構への負荷を抑えることができる。請求項２においては、ＬＥＤの発した光が周囲に漏れにくくなる。
【手続補正書】
【提出日】平成21年10月7日(2009.10.7)
【手続補正１】
【補正対象書類名】特許請求の範囲
【補正対象項目名】全文
【補正方法】変更
【補正の内容】
【特許請求の範囲】
【請求項１】
被検体にＸ線を照射するＸ線源と、前記Ｘ線源と対向配置され、前記被検体を透過したＸ線から前記被検体のＸ線透視画像を撮像する撮像手段と、前記撮像手段とデータ通信可能に接続され、かつ前記撮像手段により撮像された前記Ｘ線透視画像の画像データを記録領域に記録する記録手段と、前記撮像手段により撮像された前記Ｘ線透視画像を表示する第１の表示手段とを具備したＸ線画像診断装置において、前記第１の表示手段は、前記記録手段の前記記録領域に記録された前記Ｘ線透視画像を撮影時刻の古い順から新しいＸ線透視画像へ上書き消去する際に、消去する前記Ｘ線透視画像を表示することを特徴とするＸ線画像診断装置。
【請求項２】
前記第１の表示手段と異なる第２の表示手段をさらに具備し、かつ事前に消去する前記Ｘ線透視画像は、前記第１の表示手段または前記第２の表示手段の少なくとも一方に選択的に表示されることを特徴とする請求項１に記載のＸ線画像診断装置。
【請求項３】
前記記録手段の記録領域から上書き消去される前記Ｘ線透視画像を記録する補助記録手段をさらに具備したことを特徴とする請求項１または２に記載のＸ線画像診断装置。
【請求項４】
前記撮像手段より出力される最新の撮像時刻のＸ線透視ライブ画像及び前記記録手段の記録領域から上書き消去されるＸ線透視画像をスーパーインポーズさせて、前記第１の表示手段にライブ画像と消去されるＸ線透視画像を同時に表示する表示制御手段をさらに具備したことを特徴とする請求項１ないし３の何れかに記載のＸ線画像診断装置。
【手続補正２】
【補正対象書類名】明細書
【補正対象項目名】０００５
【補正方法】変更
【補正の内容】
【０００５】
本発明は、被検体にＸ線を照射するＸ線源と、前記Ｘ線源と対向配置され、前記被検体を透過したＸ線から前記被検体のＸ線透視画像を撮像する撮像手段と、前記撮像手段とデータ通信可能に接続され、かつ前記撮像手段により撮像された前記Ｘ線透視画像の画像データを記録領域に記録する記録手段と、前記撮像手段により撮像された前記Ｘ線透視画像を表示する第１の表示手段とを具備したＸ線画像診断装置において、前記第１の表示手段は、前記記録手段の前記記録領域に記録された前記Ｘ線透視画像を撮影時刻の古い順から新しいＸ線透視画像へ上書き消去する際に、消去する前記Ｘ線透視画像を表示することを特徴とするＸ線画像診断装置を開示する。
【手続補正３】
【補正対象書類名】明細書
【補正対象項目名】０００６
【補正方法】変更
【補正の内容】
【０００６】
前記構成により、Ｘ線画像診断装置を操作する操作者は、第１の表示手段に表示されるＸ線透視画像のライブ画像と、記録手段の記録領域より上書き消去されるＸ線透視画像の両方を見ながら被検体の診断作業を行うことができるため、病変部位の有無の確認等に使用したい興味対象のＸ線透視画像が記録手段の記録領域から上書き消去される前に記録を停止させることにより、興味対象となるＸ線透視画像の消失を防止でき、これによって操作者の意に反してＸ線透視画像が消失するのを未然に防止することができる。
また病変部位の有無の確認等に必要なＸ線透視画像を消失することがないため、再度Ｘ線により被検体を透視する等の診断作業が不要となり、これによって被検体に対するＸ線の被曝量が必要以上に増加するのを防止することができる上、Ｘ線画像診断装置を操作する操作者の負担を軽減することもできる。
【手続補正４】
【補正対象書類名】明細書
【補正対象項目名】０００８
【補正方法】変更
【補正の内容】
【０００８】
前記構成により、第１の表示手段を見ながらＸ線画像診断装置を操作して被検体の透視作業を行い、同時に第２の表示手段を監視して、記録手段の記録領域から透視画像が上書き消去される前に記録を停止させることができるため、興味対象となる透視画像の消失を確実に防止できるようになる。
【手続補正５】
【補正対象書類名】明細書
【補正対象項目名】０００９
【補正方法】変更
【補正の内容】
【０００９】
本発明のＸ線画像診断装置は、記録手段の記録領域から上書き消去されるＸ線透視画像を記録する補助記録手段をさらに具備したものである。
【手続補正６】
【補正対象書類名】明細書
【補正対象項目名】００１１
【補正方法】変更
【補正の内容】
【００１１】
本発明のＸ線画像診断装置は、撮像手段より出力される最新の撮像時刻のＸ線透視ライブ画像及び記録手段の記録領域から上書き消去されるＸ線透視画像をスーパーインポーズさせて、第１の表示手段にライブ画像と消去されるＸ線透視画像を同時に表示する表示制御手段をさらに具備したものである。
【手続補正７】
【補正対象書類名】明細書
【補正対象項目名】００１３
【補正方法】変更
【補正の内容】
【００１３】
本発明のＸ線画像診断装置によれば、病変部位の有無の確認等に使用したい興味対象のＸ線透視画像が記録手段の記録領域から上書き消去される前に記録を停止させることにより、操作者の意に反してＸ線透視画像が消失するのを未然に防止することができる。
【手続補正書】
【提出日】平成21年10月14日(2009.10.14)
【手続補正１】
【補正対象書類名】明細書
【補正対象項目名】００１４
【補正方法】変更
【補正の内容】
【００１４】
吸収性本体２の前方部Ａ及び後方部Ｂにおいては、本体表面シート２１と下層本体吸収体２３ｂとが一体的に圧密化されて形成された前方溝Ｄ２及び後方溝Ｄ３が設けられている。前方溝Ｄ２及び後方溝Ｄ３は、略半円弧状であり、中央溝Ｄ１の前部及び後部よりもそれぞれ前方側及び後方側に中央溝Ｄ１と連続的に設けられている。
【手続補正２】
【補正対象書類名】明細書
【補正対象項目名】００２８
【補正方法】変更
【補正の内容】
【００２８】
本実施形態の後方フラップ３について更に詳述すると、フラップ裏面シート（フラップ防漏層）３２は、図４に示すように、上層シート３２ａ及び下層シート３２ｂの２層構造を有している。
上層シート３２ａは、フラップ吸収体３３に向けて突出する隆起部３２ｃを多数有している。このような上層シート３２ａによれば、図４に示すように、隆起部３２ｃによって、上層シート３２ａにおける隆起部３２ｃが設けられていない領域３２ｄとフラップ吸収体３３とが離間する。そして、上層シート３２ａの下面（非肌当接面側）は下層シート３２ｂによって被覆されている。その結果、フラップ吸収体３３と下層シート３２ｂとの間に適度な空間が形成される。
【手続補正３】
【補正対象書類名】明細書
【補正対象項目名】００３５
【補正方法】変更
【補正の内容】
【００３５】
突出開孔３１ａは、その下端部全体がフラップ吸収体３３に当接し得る形状（高さが一定の形状）を有していてもよいが、液をストック空間３４に導き易くするために、図５に示すように、フラップ吸収体３３に当接する部位３１ｃと、ストック空間３４に向けて開いた部位３１ｄとを有することが好ましい。突出開孔３１ａが、フラップ吸収体３３に接する部位３１ｃを有することによって、液がストック空間３４に入り込み易くなると共に、ストック空間３４に向けて開いた部位３１ｄを有することによって液の移動量を多くすることができ、ドライ感を高めることができる。
【手続補正４】
【補正対象書類名】明細書
【補正対象項目名】００６２
【補正方法】変更
【補正の内容】
【００６２】
【図１】図１は、本発明の吸収性物品の一実施形態としての生理用ナプキンを示す斜視図である。
【図２】図２は、図１に示すII−II断面図である。
【図３】図３は、図１に示すIII−III断面図である。
【図４】図４は後方フラップの断面図である。
【図５】図５は、図４の部分拡大図である。
【図６】図６は、フラップ表面シートを示す斜視図である。
【手続補正書】
【提出日】平成21年11月6日(2009.11.6)
【手続補正１】
【補正対象書類名】特許請求の範囲
【補正対象項目名】請求項１
【補正方法】変更
【補正の内容】
【請求項１】
信号の送信及び／または受信に用いるコイル装置であって、
第１導体部と第２導体部とを各々具備し、互いに非接触に配置された複数の第１コイルと、
前記複数の第１コイルの各々と電気的に接続する第２コイルと、
前記コイル装置に信号を送信する送信手段及び／または前記コイル装置からの信号を受信する受信手段とを備え、
前記複数の第１コイルは、一端が前記第２コイルの一つにより１本の導体で接続され、他端が前記第２コイルの他の一つにより１本の導体で接続され、
前記第１導体部は、第１導体部材と、前記第１導体部材と非接触に配置される第２導体部材と、前記第１導体部材および第２導体部材を電気的に接続する第１コンデンサとを有し、
前記第２導体部は、第３導体部材と、前記第３導体部材と非接触に配置される第４導体部材と、前記第３導体部材および第４導体部材を電気的に接続する第２コンデンサとを有し、
前記送信手段及び／または受信手段は前記複数の第１コイルの少なくとも一つの前記第１コンデンサに並列に接続されていることを特徴とするコイル装置。
【手続補正書】
【提出日】平成21年3月30日(2009.3.30)
【手続補正１】
【補正対象書類名】特許請求の範囲
【補正対象項目名】全文
【補正方法】変更
【補正の内容】
【特許請求の範囲】
【請求項１】
回転軸心線を横にした回転自在なる回転ドラムと、洗濯水を溜め、前記回転ドラムを内置する外槽と、前記外槽を内置する筐体本体部と、前記筐体本体部の上側左右に振り分けて配置された引き出し自在なる洗剤トレーおよび乾燥フィルタとを有し、
洗剤トレーは、洗剤容器と、前記洗剤容器の前側に位置し、かつ前下がりに傾斜する洗剤トレー用外カバーと、前記洗剤トレー用外カバーの前側に位置し、かつ前下がりに傾斜する洗剤トレー用取っ手蓋を有し、
前記洗剤トレー用取っ手蓋は、前記洗剤トレー用外カバーに対して段違いになるように下がったり、面一状態に戻ったりするように回動自在に支持され、
前記乾燥フィルタは、フィルタ容器と、前記フィルタ容器の前側に位置し、かつ前下がりに傾斜する乾燥フィルタ用外カバーと、前記乾燥フィルタ用外カバーの後部側に位置し、かつ後上がりに傾斜する乾燥フィルタ用外カバー取っ手蓋を有し、
前記乾燥フィルタ用外カバー取っ手蓋は、前記乾燥フィルタ用外カバーに対して段違いなるように下がったり、面一状態に戻ったりするように回動自在に支持されていることを特徴とするドラム式洗濯乾燥機。
【請求項２】
請求項１記載のドラム式洗濯乾燥機において、
前記乾燥フィルタは、洗剤トレーよりも高い位置に設けたことを特徴とするドラム式洗濯乾燥機。
【請求項３】
請求項１記載のドラム式洗濯乾燥機において、
乾燥用空気循環路に備える送風機を有し、前記乾燥フィルタは前記送風機が位置する側に設けたことを特徴とするドラム式洗濯乾燥機。
【請求項４】
請求項１記載のドラム式洗濯乾燥機において、
前記乾燥フィルタ用外カバー取っ手蓋の前端側が前記乾燥フィルタ用外カバーに対して段違いなるように下がったり、面一状態に戻ったりすることを特徴とするドラム式洗濯乾燥機。
【手続補正書】
【提出日】平成21年11月5日(2009.11.5)
【手続補正１】
【補正対象書類名】特許請求の範囲
【補正対象項目名】全文
【補正方法】変更
【補正の内容】
【特許請求の範囲】
【請求項１】
インクを収容するインクカートリッジと、インクを吐出して記録を行う記録ヘッドと、前記インクカートリッジから供給されるインクを収容し前記記録ヘッドにインクを供給するサブタンクと、を備えるインクジェット記録装置において、
前記サブタンクは、前記インクカートリッジから前記サブタンクにインクを供給するためのインク供給路を開閉可能な供給バルブと、前記供給バルブが閉じると該供給バルブと当接し、前記供給バルブが開くと該供給バルブと離間する接触部材と、を有し、
前記供給バルブと前記接触部材との通電状態を検知することにより前記インクカートリッジ内のインクの有無を判断することを特徴とするインクジェット記録装置。
【請求項２】
前記供給バルブは、支点を中心にして回動可能に設けられ、前記インク供給路を開閉するための第１の腕部と前記第１の腕部と交差する方向に設けられる第２の腕部を有することを特徴とする請求項１に記載のインクジェット記録装置。
【請求項３】
前記第２の腕部に当接可能な押圧部材と、前記押圧部材を前記サブタンクの外側に向けて付勢する負圧バネと、を有し、
前記サブタンクから前記記録ヘッドにインクが供給されて前記サブタンク内が負圧になると、前記負圧バネの付勢力に抗して前記押圧部材が移動することにより前記供給バルブが回動して前記インク供給路を開くことを特徴とする請求項２に記載のインクジェット記録装置。
【請求項４】
前記供給バルブと前記接触部材とが通電されない状態が所定時間以上続くと、前記インクカートリッジ内のインクが無いと判断することを特徴とする請求項１ないし３のいずれか１項に記載のインクジェット記録装置。
【請求項５】
前記記録ヘッドと前記サブタンクを搭載して移動するキャリッジを備えることを特徴とする請求項１ないし４のいずれか１項に記載のインクジェット記録装置。
【手続補正２】
【補正対象書類名】明細書
【補正対象項目名】発明の名称
【補正方法】変更
【補正の内容】
【発明の名称】インクジェット記録装置
【手続補正３】
【補正対象書類名】明細書
【補正対象項目名】０００１
【補正方法】変更
【補正の内容】
【０００１】
本発明はインクジェット記録装置に関する。
【手続補正４】
【補正対象書類名】明細書
【補正対象項目名】０００４
【補正方法】変更
【補正の内容】
【０００４】
しかしながら、上記特許文献１に記載された技術は、サブタンク内のインク残量を検知できるものの、サブタンク内で発生するインクの泡による誤検知やキャリッジ動作中には、液面が振動することで正確に検知判断することができない。
【手続補正５】
【補正対象書類名】明細書
【補正対象項目名】０００５
【補正方法】変更
【補正の内容】
【０００５】
本発明は上記の観点に基づいてなされたものであり、インクの泡による誤検知は無く、また、キャリッジ動作中においても的確にインク残量を正確に把握することが可能なインクジェット記録装置を提供することを目的とする。
【手続補正６】
【補正対象書類名】明細書
【補正対象項目名】０００６
【補正方法】変更
【補正の内容】
【０００６】
上記目的を達成するため、本発明のインクジェット記録装置は、インクを収容するインクカートリッジと、インクを吐出して記録を行う記録ヘッドと、インクカートリッジから供給されるインクを収容し記録ヘッドにインクを供給するサブタンクと、を備えるインクジェット記録装置において、サブタンクは、インクカートリッジからサブタンクにインクを供給するためのインク供給路を開閉可能な供給バルブと、供給バルブが閉じると該供給バルブと当接し、供給バルブが開くと該供給バルブと離間する接触部材と、を有し、供給バルブと接触部材との通電状態を検知することによりインクカートリッジ内のインクの有無を判断することを特徴とする。
【手続補正７】
【補正対象書類名】明細書
【補正対象項目名】００１２
【補正方法】変更
【補正の内容】
【００１２】
回復機構３０Ａ、３０Ｂは、キャップを備えて各記録ヘッド５の不図示のポンプを駆動源として吸引動作を行い、また、記録ヘッドの不使用時に記録ヘッドを保護する。記録ヘッドは電気熱変換素子や電気機械変換素子を利用してノズルからインクを吐出することで画像を形成する。予備吐出インク受領箱３１は各記録ヘッド５の予備吐出動作によって吐出されるインクを受容する。ワイピング機構３２は、各記録ヘッド５の吐出口面のワイピング動作を行う。
【手続補正８】
【補正対象書類名】明細書
【補正対象項目名】００１７
【補正方法】変更
【補正の内容】
【００１７】
入出力ポート３０４には、前述の搬送モータ（ＬＦモータ）３１２、キャリッジモータ（ＣＲモータ）３１３、及び記録ヘッド５などの各駆動回路３０５，３０６，３０７，３０９が接続されている。さらに入出力ポート３０４には、サブタンク内に貯留されたインクの残量を検知する残量検知センサ（残量検知手段）３１４やキャリッジ１のホームポジションを検出するホームポジションセンサ３１０などのセンサ類が接続されている。また、主制御部３００はインターフェース回路３１１を介して不図示のホストコンピュータに接続されている。残量検知センサ（残量検知手段）３１４は、後述する供給バルブ６３、供給バルブフタ６７、インク残量検知接触部材７２、負圧バネ６０および定電流電源７３を有する。
【手続補正書】
【提出日】平成21年11月6日(2009.11.6)
【手続補正１】
【補正対象書類名】特許請求の範囲
【補正対象項目名】全文
【補正方法】変更
【補正の内容】
【特許請求の範囲】
【請求項１】
各種入賞部を有する遊技盤に遊技球を流下させて、これら入賞部に遊技球を入球させ、当該入球を検知して所定の賞球を払い出すように構成した遊技機であって、
複数の可変入賞装置と少なくとも１つの特別入賞口とが設けられ、
前記複数の可変入賞装置を開放させる開放リンク機構を設け、
前記特別入賞口に、入賞した遊技球を流下させる球通路が連設され、
前記球通路に臨まされて前記遊技球に接当するリンク作動部材が前記開放リンク機構に連動連結して設けられ、
前記開放リンク機構を、遊技球の位置エネルギーを用いて前記リンク作動部材により往動させて前記複数の可変入賞装置を開放させると共に前記開放リンク機構の分散配置した錘の位置エネルギーを用いて復動させるように構成してある、
ことを特徴とする遊技機。
【請求項２】
前記開放リンク機構が、前記複数の可変入賞装置を夫々開放駆動する複数の操作部を有し、
前記リンク作動部材と前記開放リンク機構の一部とが支軸を介して連動連結され、前記リンク作動部材の一部に錘が設けられ、
前記操作部と前記開放リンク機構の一部とが支軸を介して連動連結され、前記操作部の一部が前記支軸の反対側に延設されて支持アームに構成され、該支持アームに前記錘が支持されていることを特徴とする請求項１に記載の遊技機。
【請求項３】
前記開放リンク機構が、前記複数の可変入賞装置を夫々開放駆動する複数の操作部を有し、更に、該各操作部の内の一つと前記リンク作動部材とを連動連結する連結杆を有し、前記錘が、前記連結杆と、前記リンク作動部材と連動連結する操作部以外の少なくとも一つの操作部とに夫々設けられていることを特徴とする請求項１又は２に記載の遊技機。
【請求項４】
前記リンク作動部材の端部には、切り欠き係合爪が設けられており、該切り欠き係合爪に係合する凹部を有する係合部を備えた規制部材が、前記球通路に臨まされて設けられ、遊技球の入球により前記規制部材と前記切り欠き係合爪との係合を離脱させて前記リンク作動部材の作動を許容させ、両者の係合状態において前記開放リンク機構の側からの操作に対しては両者の係合状態をロックするように構成してあることを特徴とする請求項１から３のいずれかに記載の遊技機。
【手続補正書】
【提出日】平成21年9月25日(2009.9.25)
【手続補正１】
【補正対象書類名】特許請求の範囲
【補正対象項目名】全文
【補正方法】変更
【補正の内容】
【特許請求の範囲】
【請求項１】
遊技球が打ち込まれる遊技領域が形成された遊技盤と、前記遊技領域内に配置される始動口と、前記遊技領域内のほぼ中央に配置された中央役物と、遊技の進行を制御し、且つ遊技の進行に応じて作成した各種コマンドをコマンド送信制御手段で送信する主制御基板と、前記コマンド送信手段が送信した各種コマンドをコマンド受信制御手段で受信して演出に関する各種制御を行う副制御基板と、を備える遊技機であって、
前記中央役物は、少なくとも、
大入賞口が設けられた大入賞口開閉装置と、
前記大入賞口に入球した遊技球が流通可能とされ、且つ、前記遊技領域と分離区画された視認可能な遊技球演出空間と、
前記大入賞口に入球した遊技球を貯留し、且つ、該貯留した遊技球を複数の振分口のうちいずれか１つの振分口に振り分けて前記遊技球演出空間に誘導する振分駆動装置と、
を備え、
前記振分駆動装置は、少なくとも、
前記大入賞口に入球した遊技球を貯留する貯留通路と、
該貯留通路で貯留されなかった遊技球を前記遊技領域内に戻すことなく外部に排出する排出通路と、
前記貯留通路に遊技球が侵入したことを検出する侵入検出センサと、
前記貯留通路に貯留された遊技球を前記複数の振分口のうちいずれか１つの振分口に振り分けるために、回転方向の切り替えを制御して前記遊技球演出空間に誘導する振分モータと、
を備え、
前記副制御基板は、さらに、
前記コマンド受信制御手段で受信したコマンドが前記振分駆動装置の検査を行う振分駆動装置用テストコマンドであるか否かを判定する振分駆動装置用テストコマンド判定制御手段と、
前記侵入検出センサにより前記貯留通路に侵入した遊技球が検出された際に、侵入情報として記憶する貯留通路侵入記憶制御手段と、
該貯留通路侵入記憶制御手段に前記侵入情報が記憶されているか否かを判定する侵入情報記憶判定制御手段と、
前記振分モータを駆動制御して前記貯留通路に貯留された遊技球を複数の振分口のうちいずれか１つの振分口に振り分けて前記遊技球演出空間に誘導する貯留球振分制御手段と、
を備え、
前記貯留球振分制御手段は、前記振分駆動装置用テストコマンド判定制御手段により前記コマンド受信制御手段で受信したコマンドが前記振分駆動装置の検査を行う振分駆動装置用テストコマンドであると判定され、且つ、前記侵入情報記憶判定制御手段により前記貯留通路侵入記憶制御手段に前記侵入情報が記憶されていると判定された際に、前記振分モータを駆動制御して前記貯留通路に貯留された遊技球を１球ずつ前記複数の振分口にそれぞれ振り分けて前記遊技球演出空間に誘導することを特徴とする遊技機。
【請求項２】
前記貯留球振分制御手段は、前記複数の振分口に遊技球を１球ずつすべて振り分けた後、前記貯留通路に貯留された遊技球を、当該複数の振分口のうち、振分口から前記遊技球演出空間に誘導されるまでの時間が最もかからないものに振り分けることを特徴とする請求項１に記載の遊技機。
【請求項３】
前記貯留球振分制御手段は、前記複数の振分口に遊技球を１球ずつすべて振り分けた後、少なくとも、前記貯留通路に遊技球が貯留される最大数から前記複数の振分口の数を差し引いた数の遊技球を、当該複数の振分口のうち、振分口から前記遊技球演出空間に誘導されるまでの時間が最もかからないものに振り分けることを特徴とする請求項２に記載の遊技機。
【手続補正２】
【補正対象書類名】明細書
【補正対象項目名】００２１
【補正方法】変更
【補正の内容】
【００２１】
本発明の請求項１においては、生産性の向上に寄与することができる。請求項２においては、振分駆動装置の検査時間を短縮することができる。請求項３においては、貯留通路に貯留された残球を振分駆動装置から確実に取り除くとともに、本来、検査には不要な遊技球をすみやかに取り除くことができる。
【手続補正書】
【提出日】平成21年7月30日(2009.7.30)
【手続補正１】
【補正対象書類名】特許請求の範囲
【補正対象項目名】全文
【補正方法】変更
【補正の内容】
【特許請求の範囲】
【請求項１】
複数の種類の入力信号に対応した画像表示装置であって、
表示輝度を補正するために入力信号に補正処理を施す輝度補正手段と、
補正後の入力信号にしたがって画像を表示する画像表示手段と、を有し、
前記輝度補正手段は、
前記入力信号の種類がコンピュータからの入力信号の場合は、画像の中間階調部分の輝度を維持し若しくは上げつつ、高階調部分の輝度を下げる第１の補正処理を実行し、
前記入力信号の種類がデジタルカメラからの入力信号の場合は、画像の全階調にわたり輝度を低下させる第２の補正処理を実行し、
前記入力信号の種類がＴＶ信号の場合は、輝度を変化させない第３の補正処理を実行することを特徴とする画像表示装置。
【請求項２】
複数の種類の入力信号に対応した画像表示装置であって、
表示輝度を補正するために入力信号に補正処理を施す輝度補正手段と、
補正後の入力信号にしたがって画像を表示する画像表示手段と、を有し、
前記輝度補正手段は、
入力信号に１より小さいゲインを乗ずる輝度低減処理手段と、入力信号に１より小さいガンマ値でのガンマ補正を行うガンマ補正処理手段とを有し、
前記輝度低減処理手段と前記ガンマ補正処理手段を組み合わせることによって、画像の中間階調部分の輝度を維持し若しくは上げつつ、高階調部分の輝度を下げる第１の補正処理を実行し、
前記輝度低減処理手段によって、画像の全階調にわたり輝度を低下させる第２の補正処理を実行することを特徴とする画像表示装置。
【請求項３】
複数の種類の入力信号に対応した画像表示装置であって、
表示輝度を補正するために入力信号に補正処理を施す輝度補正手段と、
補正後の入力信号にしたがって画像を表示する画像表示手段と、を有し、
入力信号で与えられる画像が動画像か静止画像かを識別する画像識別手段と、
前記画像が所定の輝度基準に比して高輝度か低輝度か、また所定のコントラスト基準に比して高コントラストか低コントラストかを識別する画質識別手段と、を有し、
前記輝度補正手段は、
前記画像が高輝度かつ高コントラストな静止画像と識別された場合、画像の中間階調部分の輝度を維持し若しくは上げつつ、高階調部分の輝度を下げる第１の補正処理を実行し、
前記画像が高輝度かつ低コントラストな静止画像と識別された場合、画像の全階調にわたり輝度を低下させる第２の補正処理を実行し、
前記画像が動画像または低輝度な静止画像と識別された場合、輝度を変化させない第３の補正処理を実行することを特徴とする画像表示装置。
【請求項４】
複数の種類の入力信号に対応した画像表示装置における画像表示方法であって、
入力信号を受信する受信ステップと、
表示輝度を補正するために入力信号に補正処理を施す輝度補正ステップと、
補正後の入力信号にしたがって画像を表示する表示ステップと、を含み、
前記輝度補正ステップでは、
前記入力信号の種類がコンピュータからの入力信号の場合は、画像の中間階調部分の輝度を維持し若しくは上げつつ、高階調部分の輝度を下げる第１の補正処理を実行し、
前記入力信号の種類がデジタルカメラからの入力信号の場合は、画像の全階調にわたり輝度を低下させる第２の補正処理を実行し、
前記入力信号の種類がＴＶ信号の場合は、輝度を変化させない第３の補正処理を実行することを特徴とする画像表示方法。
【請求項５】
複数の種類の入力信号に対応した画像表示装置における画像表示方法であって、
入力信号を受信する受信ステップと、
表示輝度を補正するために入力信号に補正処理を施す輝度補正ステップと、
補正後の入力信号にしたがって画像を表示する表示ステップと、を含み、
前記輝度補正ステップでは、
入力信号に１より小さいゲインを乗ずる輝度低減処理と、入力信号に１より小さいガンマ値でのガンマ補正を行うガンマ補正処理とを組み合わせることによって、画像の中間階調部分の輝度を維持し若しくは上げつつ、高階調部分の輝度を下げる第１の補正処理を実行し、
入力信号に１より小さいゲインを乗ずる輝度低減処理によって、画像の全階調にわたり輝度を低下させる第２の補正処理を実行することを特徴とする画像表示方法。
【請求項６】
複数の種類の入力信号に対応した画像表示装置における画像表示方法であって、
入力信号を受信する受信ステップと、
入力信号で与えられる画像が動画像か静止画像かを識別するステップと、
前記画像が所定の輝度基準に比して高輝度か低輝度か、また所定のコントラスト基準に比して高コントラストか低コントラストかを識別するステップと、
表示輝度を補正するために入力信号に補正処理を施す輝度補正ステップと、
補正後の入力信号にしたがって画像を表示する表示ステップと、を含み、
前記輝度補正ステップでは、
前記画像が高輝度かつ高コントラストな静止画像と識別された場合、画像の中間階調部分の輝度を維持し若しくは上げつつ、高階調部分の輝度を下げる第１の補正処理を実行し、
前記画像が高輝度かつ低コントラストな静止画像と識別された場合、画像の全階調にわたり輝度を低下させる第２の補正処理を実行し、
前記画像が動画像または低輝度な静止画像と識別された場合、輝度を変化させない第３の補正処理を実行することを特徴とする画像表示方法。
【手続補正書】
【提出日】平成21年10月29日(2009.10.29)
【手続補正１】
【補正対象書類名】明細書
【補正対象項目名】請求項２
【補正方法】変更
【補正の内容】
【請求項２】
転写部の手前で画像とシート搬送との同期をとり、シートの斜行補正を行うレジストローラ対と、該レジストローラ対のシート搬送方向上流でシートを前記レジストローラ対へ搬送するシート搬送手段と、を有する画像形成装置において、シート先端を停止状態の前記レジストローラ対のニップに突き当てた後に、前記レジストローラ対のシート搬送動作を一旦開始して前記レジストローラ対にシート先端部が挟持された所で前記レジストローラ対のシート搬送動作を停止し、前記レジストローラ対のシート搬送動作を停止した状態で、前記シート搬送手段を動かして前記レジストローラ対と前記シート搬送手段との間のシートにループを作成し、ループ作成後に、再び前記レジストローラ対を動かし始めることを特徴とする画像形成装置。
【手続補正２】
【補正対象書類名】明細書
【補正対象項目名】請求項６
【補正方法】変更
【補正の内容】
【請求項６】
転写部の手前で画像とシート搬送との同期をとり、シートの斜行補正を行うレジストローラ対と、該レジストローラ対のシート搬送方向上流でシートを前記レジストローラ対へ搬送するシート搬送手段と、を有する画像形成装置において、前記レジストローラ対と前記シート搬送手段との間のシート搬送路中に、シートのループ量を検知するループ量検知手段を設け、該ループ量検知手段の検知結果に応じて前記シート搬送手段のシート搬送速度を変化させてループ量を調整することを特徴とする画像形成装置。
【手続補正３】
【補正対象書類名】明細書
【補正対象項目名】００４０
【補正方法】変更
【補正の内容】
【００４０】
転写部の手前で画像とシート搬送との同期をとり、シートの斜行補正を行うレジストローラ対と、該レジストローラ対のシート搬送方向上流でシートを前記レジストローラ対へ
搬送するシート搬送手段と、を有する画像形成装置において、シート先端を停止状態の前記レジストローラ対のニップに突き当てた後に、前記レジストローラ対のシート搬送動作を一旦開始して前記レジストローラ対にシート先端部が挟持された所で前記レジストローラ対のシート搬送動作を停止し、前記レジストローラ対のシート搬送動作を停止した状態で、前記シート搬送手段を動かして前記レジストローラ対と前記シート搬送手段との間のシートにループを作成し、ループ作成後に、再び前記レジストローラ対を動かし始めることを特徴とする。
【手続補正４】
【補正対象書類名】明細書
【補正対象項目名】００４４
【補正方法】変更
【補正の内容】
【００４４】
転写部の手前で画像とシート搬送との同期をとり、シートの斜行補正を行うレジストローラ対と、該レジストローラ対のシート搬送方向上流でシートを前記レジストローラ対へ搬送するシート搬送手段と、を有する画像形成装置において、前記レジストローラ対と前記シート搬送手段との間のシート搬送路中に、シートのループ量を検知するループ量検知手段を設け、該ループ量検知手段の検知結果に応じて前記シート搬送手段のシート搬送速度を変化させてループ量を調整することを特徴とする。
【手続補正書】
【提出日】平成21年1月29日(2009.1.29)
【手続補正１】
【補正対象書類名】特許請求の範囲
【補正対象項目名】全文
【補正方法】変更
【補正の内容】
【特許請求の範囲】
【請求項１】
コアおよび前記コアに対して間隔をおいて前記コアを包囲するダイを備え、前記コアおよび前記ダイの間に形成された樹脂流路の一端から軟化した可撓性樹脂を注入して、前記樹脂流路の他端から液体流路を有する可撓性樹脂チューブを押し出し成形する金型であって、
前記樹脂流路の前記他端に装着され、可撓性樹脂を前記金型の外部に排出する開口を有し、押し出し方向に直交する面内で前記金型に対して変位でき、且つ、所望の位置で前記金型に対して固定できるリップ部を備え、
前記押し出し方向下流側の端部において、前記コアが複数に分岐した先端部を有して、互いに独立した複数の前記液体流路を有する多列可撓性樹脂チューブを押し出し成形する金型。
【請求項２】
前記ダイが、
前記コアに対する相対位置を固定されて前記コアの表面に沿って可撓性樹脂を案内するダイ本体と、
可撓性樹脂を前記金型の外部に排出する開口を有して、押し出し方向に直交する面内で前記ダイ本体に対して変位でき、且つ、所望の位置で前記ダイ本体に対して固定できる前記リップ部と
を備える請求項１に記載の金型。
【請求項３】
前記リップ部に対して先端が当接して、前記押し出し方向に直交する方向に螺入または螺脱させることにより前記リップ部を変位させるネジ部材を更に有する請求項１に記載の金型。
【請求項４】
前記リップ部が、前記押し出し方向に自身を貫通する貫通穴と、前記貫通穴に挿通されて先端が前記ダイに螺入されたボルトにより固定され、
前記貫通穴が、前記ボルトのネジを切られた部分の外径よりも大きな内径を有して、前記ボルトを緩めた場合に前記押し出し方向に対して直交する方向に前記リップ部を変位可能な請求項１に記載の金型。
【請求項５】
前記コアが、前記他端において押し出される前記多列可撓性樹脂チューブの流体流路に気体を注入する気体流路を有する請求項１に記載の金型。
【請求項６】
コアおよび前記コアに対して間隔をおいて前記コアを包囲するダイを備えた金型を用い、前記コアおよび前記ダイの間に形成された樹脂流路の一端から軟化した可撓性樹脂を注入して、前記樹脂流路の他端から液体流路を有する可撓性樹脂チューブを押し出し成形する多列可撓性樹脂チューブの製造方法であって、
可撓性樹脂を外部に排出する開口を有し、押し出し方向に直交する面内で前記金型に対して変位でき、且つ、所望の位置で前記金型に対して固定できるリップ部を、前記樹脂流路の前記他端に装着し、前記リップ部を変位させることにより前記チューブの肉厚分布を調整する手順を含み、
前記押し出し方向下流側の端部において、前記コアが複数に分岐した先端部を有して、互いに独立した複数の前記液体流路を有する多列可撓性樹脂チューブを押し出し成形する多列可撓性樹脂チューブの製造方法。
【手続補正書】
【提出日】平成21年1月30日(2009.1.30)
【手続補正１】
【補正対象書類名】特許請求の範囲
【補正対象項目名】全文
【補正方法】変更
【補正の内容】
【特許請求の範囲】
【請求項１】
押し出し方向下流側で複数に分岐した先端部および前記先端部に共通して連結された基部を有するコアと、前記コアの前記基部及び前記先端部を間隔をおいて一括して包囲する開口を有するダイとを備え、前記コアおよび前記ダイの間に形成された樹脂流路の一端から軟化した可撓性樹脂を注入して、前記樹脂流路の他端から複数の液体流路を有する可撓性樹脂チューブを押し出し成形する金型であって、
前記基部が、前記樹脂流路における可撓性樹脂の流通方向に沿って前記複数の先端部の相互の間まで配置された複数の溝を有する金型。
【請求項２】
前記基部の前記押し出し方向に直交する断面の面積が、前記先端部に向かって漸減する請求項１に記載の金型。
【請求項３】
前記基部が、前記先端部の各々の後端に滑らかに連続する複数の円錐体を結合した形状を有する請求項１に記載の金型。
【請求項４】
前記溝が互いに平行に形成される請求項１に記載の金型。
【請求項５】
前記基部の前記押し出し方向に直交する断面の各々において、ひとつの辺の上に形成された前記溝が互いに等間隔で配置される請求項１に記載の金型。
【請求項６】
押し出し方向下流側で複数に分岐した先端部および前記先端部に共通して連結された基部を有するコアと、前記コアの前記基部及び前記先端部を間隔をおいて一括して包囲する開口を有するダイとを備えた金型を用い、前記コアおよび前記ダイの間に形成された樹脂流路の一端から軟化した可撓性樹脂を注入して、前記樹脂流路の他端から複数の液体流路を有する可撓性樹脂チューブを押し出し成形する可撓性樹脂チューブの製造方法であって、
前記基部に、前記樹脂流路における可撓性樹脂の流通方向に沿って前記複数の先端部の相互の間まで配置された複数の溝を設け、前記溝の形成された領域を通して可撓性樹脂を注入する可撓性樹脂チューブの製造方法。
【手続補正書】
【提出日】平成21年1月30日(2009.1.30)
【手続補正１】
【補正対象書類名】特許請求の範囲
【補正対象項目名】全文
【補正方法】変更
【補正の内容】
【特許請求の範囲】
【請求項１】
インクを吐出する複数の吐出口と、前記各吐出口に連通する複数の液路と、前記各液路に供給されたインクを前記各吐出口から液滴として吐出させるための吐出エネルギーを発生させる複数のエネルギー発生手段と、を備えた記録ヘッドであって、
前記液路内の一部を複数の流路に分割する分割部を前記インク吐出口より前記液路の内方に設けると共に、
前記分割部には、吐出口側に向けて薄くなるテーパ部を形成したことを特徴とする記録ヘッド。
【請求項２】
前記液路は、前記吐出エネルギーとして熱エネルギーを発生するヒータを保持するヒータボードと、前記ヒータボードに対向して設けられた天板との間に設けられたノズル形成部材と、により構成され、
前記ノズル形成部材は、前記複数の吐出口と前記分割部とを形成すると共に、前記ヒータボードとの組み合わせにより液路を形成することを特徴とする請求項１に記載の記録ヘッド。
【請求項３】
前記分割部は、前記液路内に形成された少なくとも一枚の平板状部分によって形成されていることを特徴とする請求項１に記載の記録ヘッド。
【請求項４】
前記分割部は、前記液路内において前記吐出口と前記ヒータとの間に形成されていることを特徴とする請求項３に記載の記録ヘッド。
【請求項５】
前記分割部は、吐出口側およびヒータ側に向けて薄くなるテーパ部を有することを特徴とする請求項３または４に記載の記録ヘッド。
【請求項６】
前記ヒータの加熱によってインク内に発生する気泡を前記吐出方向へと成長させる可動弁をさらに備えたことを特徴とする請求項２ないし５のいずれかに記載の記録ヘッド。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】削除
【補正の内容】
【手続補正４】
【補正対象書類名】明細書
【補正対象項目名】００１４
【補正方法】変更
【補正の内容】
【００１４】
すなわち、インクを吐出する複数の吐出口と、前記各吐出口に連通する複数の液路と、前記各液路に供給されたインクを前記各吐出口から液滴として吐出させるための吐出エネルギーを発生させる複数のエネルギー発生手段と、を備えた記録ヘッドであって、前記液路内の一部を複数の流路に分割する分割部を前記インク吐出口より前記液路の内方に設けると共に、前記分割部には、吐出口側に向けて薄くなるテーパ部を形成したことを特徴とする。
【手続補正書】
【提出日】平成21年1月30日(2009.1.30)
【手続補正１】
【補正対象書類名】特許請求の範囲
【補正対象項目名】全文
【補正方法】変更
【補正の内容】
【特許請求の範囲】
【請求項１】
実行可能な複数の機能をユーザに提示する提示手段と、
前記提示手段により提示された複数の機能の中から所定の機能の組み合わせを、ユーザからの指示に基づいて入力する入力手段と、
前記入力手段により入力された機能の組み合わせを、外部装置から投入されたジョブを記憶する記憶領域に対して登録する登録手段とを有することを特徴とする画像処理装置。
【請求項２】
前記外部装置から前記記憶領域にジョブが投入されると、当該記憶領域に対して登録されている機能の組み合わせに従って、投入されたジョブを実行するジョブ実行手段を有することを特徴とする請求項１に記載の画像処理装置。
【請求項３】
前記外部装置から投入されたジョブに基づく画像を形成する画像形成手段を更に有することを特徴とする請求項１又は２に記載の画像処理装置。
【請求項４】
前記提示手段により提示された機能のうち、ユーザにより指定された機能を登録する第２の登録手段を有し、
前記入力手段は、前記第２の登録手段により登録された機能の組み合わせを、ユーザからの指示に基づいて入力することを特徴とする請求項１〜３の何れか１項に記載の画像処理装置。
【請求項５】
前記登録手段は、前記入力手段により入力された機能の組み合わせを、前記画像処理装置が備える複数の記憶領域のうちユーザにより指定された記憶領域に対して登録することを特徴とする請求項１〜４の何れか１項に記載の画像処理装置。
【請求項６】
前記機能には、その機能の内容を示す属性が設定されていることを特徴とする請求項１〜５の何れか１項に記載の画像処理装置。
【請求項７】
前記画像処理装置が実行可能な機能を、ユーザからの指示に基づいて登録する第３の登録手段を有し、
前記提示手段は、前記第３の登録手段により登録された実行可能な機能をユーザに提示することを特徴とする請求項１〜６の何れか１項に記載の画像処理装置。
【請求項８】
前記第３の登録手段は、前記画像処理装置が実行可能な機能を、ユーザからの指示に基づいて、追加及び削除することを特徴とする請求項７に記載の画像処理装置。
【請求項９】
前記外部装置から前記記憶領域に投入されるジョブは、当該外部装置において生成された文書データであることを特徴とする請求項１〜８の何れか１項に記載の画像処理装置。
【請求項１０】
実行可能な複数の機能をユーザに提示する提示ステップと、
前記提示ステップにより提示された複数の機能の中から所定の機能の組み合わせを、ユーザからの指示に基づいて入力する入力ステップと、
前記入力ステップにより入力された機能の組み合わせを、外部装置から投入されたジョブを記憶する記憶領域に対して登録する登録ステップとを有することを特徴とするジョブ処理方法。
【請求項１１】
実行可能な複数の機能をユーザに提示する提示ステップと、
前記提示ステップにより提示された複数の機能の中から所定の機能の組み合わせを、ユーザからの指示に基づいて入力する入力ステップと、
前記入力ステップにより入力された機能の組み合わせを、外部装置から投入されたジョブを記憶する記憶領域に対して登録する登録ステップとをコンピュータに実行させることを特徴とするコンピュータプログラム。
【手続補正２】
【補正対象書類名】明細書
【補正対象項目名】発明の名称
【補正方法】変更
【補正の内容】
【発明の名称】画像処理装置、ジョブ処理方法、及びコンピュータプログラム
【手続補正３】
【補正対象書類名】明細書
【補正対象項目名】０００１
【補正方法】変更
【補正の内容】
【０００１】
本発明は、画像処理装置、ジョブ処理方法、及びコンピュータプログラムに関し、特に、投入されたジョブを処理するために用いて好適なものである。
【手続補正４】
【補正対象書類名】明細書
【補正対象項目名】０００９
【補正方法】変更
【補正の内容】
【０００９】
本発明の画像処理装置は、実行可能な複数の機能をユーザに提示する提示手段と、前記提示手段により提示された複数の機能の中から所定の機能の組み合わせを、ユーザからの指示に基づいて入力する入力手段と、前記入力手段により入力された機能の組み合わせを、外部装置から投入されたジョブを記憶する記憶領域に対して登録する登録手段とを有することを特徴とする。
【手続補正５】
【補正対象書類名】明細書
【補正対象項目名】００１０
【補正方法】変更
【補正の内容】
【００１０】
本発明のジョブ処理方法は、実行可能な複数の機能をユーザに提示する提示ステップと、前記提示ステップにより提示された複数の機能の中から所定の機能の組み合わせを、ユーザからの指示に基づいて入力する入力ステップと、前記入力ステップにより入力された機能の組み合わせを、外部装置から投入されたジョブを記憶する記憶領域に対して登録する登録ステップとを有することを特徴とする。
【手続補正６】
【補正対象書類名】明細書
【補正対象項目名】００１１
【補正方法】変更
【補正の内容】
【００１１】
本発明のコンピュータプログラムは、実行可能な複数の機能をユーザに提示する提示ステップと、前記提示ステップにより提示された複数の機能の中から所定の機能の組み合わせを、ユーザからの指示に基づいて入力する入力ステップと、前記入力ステップにより入力された機能の組み合わせを、外部装置から投入されたジョブを記憶する記憶領域に対して登録する登録ステップとをコンピュータに実行させることを特徴とする。
【手続補正７】
【補正対象書類名】明細書
【補正対象項目名】００１２
【補正方法】変更
【補正の内容】
【００１２】
本発明によれば、実行可能な複数の機能をユーザに提示し、提示した複数の機能の中からユーザによって指示された機能の組み合わせを、外部装置から投入されたジョブを記憶する記憶領域に対して登録するようにした。これにより、操作性が困難なホスト装置からでも、容易にデバイスの機能を利用することができる。また、実行可能な複数の機能の中から、機能の組み合わせをユーザに指定させるようにしたので、デバイスの機能を容易にカスタマイズさせることができ、ユーザが所望する新たな機能を利用することができる。